(57)【要約】【課題】スチール製の家具類に好適な使い勝手と性能に優れた家具類の固定具を提供する。【解決手段】上記課題を解決するために、本考案の家具類の固定具１は、室内に設置される家具類Ｃを壁Ａ等に吊持ち状態あるいは引張り状態で連結することによって固定し、家具類Ｃないし壁Ａ等に直接取り付けられる平板状のベース板７と、該ベース板７から対向するように立ち上げられ上部に軸受部１３、１５が形成された２本の支柱９、１１と、上記軸受部１３、１５間に着脱自在に架け渡される１本の係止ピン１７とを有する門型をした係止部３が２組と、先端に係止リング３１を有し雄ネジが逆に切られた２本のネジ軸３３、３５と、該２本のネジ軸３３、３５と螺合する雌ネジが逆に切られた２つの雌ネジ部４３、４５を有する１本の支持ポール３７によって構成される１組の連結部５とを備えている。【選択図】        図１
0003110749.tif 000002
【実用新案登録請求の範囲】
【請求項１】
室内に設置される家具類を室内の壁、柱、床、天井等に吊持ち状態あるいは引張り状態で連結することによって固定する家具類の固定具において、家具類ないし室内の壁、柱、床、天井等に直接取り付けられる平板状のベース板と、該ベース板から対向するように立ち上げられ上部に軸受部が形成された２本の支柱と、該２本の支柱の軸受部間に着脱自在に架け渡される１本の係止ピンとを有する門型をした係止部が２組と、先端に係止リングを有し雄ネジが逆に切られた２本のネジ軸と、該２本のネジ軸と螺合する雌ネジが逆に切られた２つの雌ネジ部を有する１本の支持ポールによって構成される１組の連結部とを備えていることを特徴とする家具類の固定具。
【請求項２】
請求項１に記載した家具類の固定具において、前記対向して設けられる軸受部の一方には係止ピンの軸部の外径より大きめの内径を有する貫通穴が設けられており、軸受部の他方には係止ピンの軸部に刻設されている雄ネジと螺合する雌ネジが刻設されたネジ穴が設けられていることを特徴とする家具類の固定具。
【請求項３】
請求項１または２に記載した家具類の固定具において、前記対向して設けられる２本の支柱と、該２本の支柱の軸受部間に架け渡される１本の係止ピンは、１枚のベース板に対して複数組設けられていることを特徴とする家具類の固定具。
【請求項４】
請求項１〜３のいずれか１項に記載した家具類の固定具において、前記連結部には支持ポールの両端に２本のネジ軸と螺合する雌ネジが逆に切られた２つのロックナットが設けられていることを特徴とする家具類の固定具。
【考案の詳細な説明】
【技術分野】
【０００１】
本考案は、例えば事務所等に設けられるスチール製のロッカー、書類棚、パーテーション等の家具類を室内の壁、柱、床、天井等に固定して家具類の転倒、落下を防止する吊持ち式ないし引張り式の固定具に関するものである。
【背景技術】
【０００２】
近年地震等の災害が多発しており、学校や病院、工場や事務所そして一般家庭に至るまで種々の分野で防災対策が進んでいる。地震によってもたらされる災害で最も多いのが家具等の転倒、落下によるもので、家具等の下敷きになったり、破損したガラスの破片が刺さったり、暖房器具や調理器具等の転倒、落下によって火災が発生したりする。
【０００３】
そしてこのような家具等の転倒、落下を防止するために種々のタイプの固定具が考案されており、商品化されている。家具等の転倒、落下を防止する固定具としては平板状、Ｌ字状ないしコの字状に折り曲げたあるいは箱型の金具を使用したもの、上記金具に紐、ワイヤ、ベルト、チェーン等を併用したもの、家具類と天井あるいは家具類と壁の間に突張り棒等を介在させたもの、家具類と壁、柱、床、天井等を吊持ち状態あるいは引張り状態で連結して固定したもの等が考案されている。
【０００４】
このうち吊持ち式ないし引張り式の固定具としては長さの調整ができないもの、長さの調整はできても一方向の揺れにしか対応できなかったり、強度不足のもの、取付部位や取付方向に制約があったり、複数の家具類を同時に固定することができないもの等があり、使い勝手と性能の両面で更なる改良、そして新たな固定具の開発が望まれていた。
特に事務所等に備えられているロッカー、書類棚、パーテーション等の家具類はそのすべてあるいはフレーム等その一部がスチール製であり、このようなスチール製の家具類に好適な家具類の固定具の開発が望まれていた。
【考案の開示】
【考案が解決しようとする課題】
【０００５】
本考案は、上記の背景技術及び背景技術が抱えていた問題点の存在を踏まえてなされたものであって、長さの調整が可能で複数方向の揺れに対応でき、更に機械的強度が高く、取付部位を選ばず、種々の取付方向に対応でき、尚且つ複数の家具類を同時に固定することのできるスチール製の家具類に好適な使い勝手と性能に優れた家具類の固定具を提供することを課題とするものである。
【課題を解決するための手段】
【０００６】
上記課題を解決するために請求項１に記載した考案は、室内に設置される家具類を室内の壁、柱、床、天井等に吊持ち状態あるいは引張り状態で連結することによって固定する家具類の固定具において、家具類ないし室内の壁、柱、床、天井等に直接取り付けられる平板状のベース板と、該ベース板から対向するように立ち上げられ上部に軸受部が形成された２本の支柱と、該２本の支柱の軸受部間に着脱自在に架け渡される１本の係止ピンとを有する門型をした係止部が２組と、先端に係止リングを有し雄ネジが逆に切られた２本のネジ軸と、該２本のネジ軸と螺合する雌ネジが逆に切られた２つの雌ネジ部を有する１本の支持ポールによって構成される１組の連結部とを備えていることを特徴とする家具類の固定具である。
【０００７】
請求項２に記載した考案は、請求項１に記載した家具類の固定具において、前記対向して設けられる軸受部の一方には係止ピンの軸部の外径より大きめの内径を有する貫通穴が設けられており、軸受部の他方には係止ピンの軸部に刻設されている雄ネジと螺合する雌ネジが刻設されたネジ穴が設けられていることを特徴とする家具類の固定具である。
【０００８】
請求項３に記載した考案は、請求項１または２に記載した家具類の固定具において、前記対向して設けられる２本の支柱と、該２本の支柱の軸受部間に架け渡される１本の係止ピンは、１枚のベース板に対して複数組設けられていることを特徴とする家具類の固定具である。
【０００９】
請求項４に記載した考案は、請求項１〜３のいずれか１項に記載した家具類の固定具において、前記連結部には支持ポールの両端に２本のネジ軸と螺合する雌ネジが逆に切られた２つのロックナットが設けられていることを特徴とする家具類の固定具である。
【考案の効果】
【００１０】
本考案の家具類の固定具によれば、支持ポールと２本のネジ軸との螺合状態を可変することによって家具類の大きさや設置する壁等との距離に応じて固定具の長さを適宜調整することができる。また、連結部は引張り方向と圧縮方向の両方の力に対応でき、係止部と連結部を構成する各構成部材のすべてが頑強に構成されているから機械的強度に優れ、複数方向の揺れに対応できる。また連結部と係止部は係合ピンと係止リングによって確実に連結されているから地震等の振動によって連結部が係止部から外れてしまうこともない。
【００１１】
また係止リングは係止ピンの周りを回動できるから、本考案の家具類の固定具は取付部位を選ばず、種々の取付方向に対応できる。また１枚のベース板に対して複数組の支柱と係止ピンを設けた場合には同一の係止部を使用して複数の家具類を同時に固定することができ、部品の有効利用が図られる。またロックナットを設けた場合には支持ポールに対する２本のネジ軸の緩みが防止され、長期に亘って安定した家具類の固定が得られるようになる。
【考案を実施するための最良の形態】
【００１２】
以下、下記に示す実施の形態１を例に採って、本考案に係る家具類の固定具１について具体的に説明する。尚、下記の実施の形態１では事務所等に設けられるロッカー、書類棚、パーテーション、その他のキャビネット類等そのすべて、あるいはフレーム等の一部がスチール製の家具類を適用対象とし、これらを室内の壁Ａや柱、床Ｂや天井等に吊持ち状態あるいは引張り状態で連結して固定する家具類の固定具１を例に採って説明する。
【００１３】
家具類の固定具１は家具類Ｃないし室内の壁Ａや床Ｂ等に取り付けられる２組の係止部３と、これら２組の係止部３を連結する１組の連結部５とを備えている。
係止部３は家具類Ｃないし室内の壁Ａや床Ｂ等に直接取り付けられる平板状のベース板７と、該ベース板７から対向するように上方から立ち上げられている２本の支柱９、１１と、該支柱９、１１の上部に一体に形成されている軸受部１３、１５と、上記２つの軸受部１３、１５間に着脱自在に架け渡される１本の係止ピン１７とを備える門型形状の部材である。
【００１４】
ベース板７は長尺な矩形平板状の部材であり、その中央部に上記支柱９、１１が設けられている。また支柱９、１１を挟んでベース板７の長手方向の端部寄りには２個ずつ計４個の取付穴１９が貫通状態で設けられている。
２本の支柱９、１１は一定の距離を隔て設けられている丸棒状の部材である。またこのうち一方の支柱９の上部には係止ピン１７の軸部２１の外径より大きめの内径を有する貫通穴２３を備えた軸受部１３が設けられている。そして他方の支柱９の上部には係止ピン１７の軸部２１に刻設されている雄ネジと螺合する雌ネジが刻設されたネジ穴２５を備えた軸受部１５が設けられている。
【００１５】
係止ピン１７は一端に操作リング２７を一例として備える丸棒状の部材であり、操作リング２７から延びる軸部２１には上述したように軸受部１５に刻設されているネジ穴２５と螺合する雄ネジが刻設されている。
また本実施の形態では上記２本の支柱９、１１と、これらの上部に設けられている２つの軸受部１３、１５と、２つの軸受部１３、１５間に架け渡される１本の係止ピン１７とによって構成される係止要素２９が１組のみベース板７上に設けられている。
【００１６】
連結部５は先端に係止リング３１を有する２本のネジ軸３３、３５と、該２本のネジ軸３３、３５と螺合する１本の支持ポール３７とを備えている。
係止リング３１は上記係止部３における係止ピン１７に嵌って係止される部分であって、係止ピン１７に対する軸回りの自由な回転と、軸方向の傾きに対応できるよう、係止ピン１７の外径よりかなり大きめの内径を有している。
【００１７】
２本のネジ軸３３、３５にはそれぞれ雄ネジが逆に切られた雄ネジ部３９、４１がそれぞれ別個に設けられている。そしてこれら２本のネジ軸３３、３５と螺合する支持ポール３７には上記雄ネジ部３９と螺合する雌ネジ部４３と、上記雄ネジ部４１と螺合する雌ネジ部４５とが設けられている。
支持ポール３７は長手方向の両端が先窄まり状に縮径された長尺な略円筒状の部材である。そして支持ポール３７の中心を貫通する貫通穴部４７の長手方向の両端側の内周面を刻設することによって、それぞれ雌ネジが逆に切られた２つの雌ネジ部４３、４５が形成されている。
【００１８】
また支持ポール３７の側胴部の中央には軸方向と直行する方向に係止穴４９が貫通しており、この係止穴４９に図示しない操作ハンドル等を挿嵌することによって支持ポール３７を軸回りに回転させることができるようになっている。
そして支持ポール３７を回転することによって支持ポール３７の２つの雌ネジ部４３、４５と螺合する２本のネジ軸３３、３５が接近、離反することで連結部５の長さ調整を自由に行えるようになっている。
【００１９】
そしてこのようにして構成される本実施の形態に係る家具類の固定具１を使用して家具類Ｃの固定を行う場合には図３に示すように係止部３の一方を家具類Ｃの天板５１あるいは側板５３にビス止めあるいはリベット止め等によって固定する。また他方の係止部３を室内の壁Ａ等にビス止め等によって固定する。
係止部３を取り付ける部位に集中して力が作用するから家具類Ｃについてはフレーム等がある個所、壁Ａ等については壁材背面の間柱や補強用の棧等がある場所を探して係止部３を固定する。
【００２０】
次に図３、４に示すように連結部５の長手方向両端の係止リング３１を家具類Ｃ側と壁Ａ側に設けられている係止部３の支柱９、１１間に挿入し、係止ピン１７を一方の軸受部１３における貫通穴２３側から挿入し、上記係止リング３１を貫通した後、対向する他方の軸受部１５におけるネジ穴２５に螺合させる。
係止ピン１７をネジ穴２５に螺合させた状態では係止リング３１は係止ピン１７から勝手に外れることがなく確実な抜け止めがなされている。
【００２１】
そして図示しない操作ハンドル等を支持ポール３７の係止穴４９に挿入して支持ポール３７を所定の方向に回転させることによって連結部５の長さを最適な長さに調整すれば家具類の固定具１による家具類Ｃの固定が完了する。
また部屋のレイアウトの変更や家具類Ｃの交換等に伴って家具類Ｃを移動する場合には、上述と逆の手順を実行することによって簡単に家具類Ｃの固定を解除することができ、そして上記手順を再び実行することによって上記交換したあるいは移動した家具類Ｃを固定することができる。
【００２２】
以上、本考案を実施するための最良の形態である実施の形態１について詳述してきたが、具体的な構成は上述した構成に限られるものではなく、本考案の要旨を逸脱しない範囲内における設計の変更などがあっても本考案に含まれる。
例えばベース板７の形状は矩形平板状に限らず、図５に示すような円板形状等種々の形状が採用可能である。尚、図５に示すベース板７には中心に１つのみ取付穴が設けられていて、この取付穴に挿嵌されるアンカーボルト５５等を使用して例えば床Ｂ等に固定される。
【００２３】
また図６に示すように１枚のベース板７に対して２組等複数組の係止要素２９を設けることも可能であり、このような係止部３を使用した場合には複数の家具類Ｃを同時に固定することが可能となる。
また支持ポール３７の両端に２本のネジ軸３３、３５と螺合する雌ネジが逆に切られた２つのロックナット５７、５９を設けることも可能であり、このような連結部５を使用した場合にはネジ軸３３、３５と支持ポール３７間の緩み止めが図られる。
また本明細書において使用する家具類Ｃとは広汎な意味で使用するものであり厳格な意味での家具に限らず地震等によって転倒、落下のおそれのあるその他のすべての物品が含まれる。
【図面の簡単な説明】
【００２４】
【図１】本考案の実施の形態１に係る家具類の固定具を示す斜視図である。
【図２】本考案の実施の形態１に係る家具類の固定具を示す中央縦断側面図である。
【図３】本考案の実施の形態１に係る家具類の固定具を使用して家具類の固定途中の状態を示す斜視図である。
【図４】本考案の実施の形態１に係る家具類の固定具を使用して家具類の固定完了時の状態を示す斜視図である。
【図５】本考案の他の実施の形態を示す斜視図である。
【図６】本考案の更に他の実施の形態を示す斜視図である。
【図７】本考案の更に他の実施の形態を示す斜視図である。
【符号の説明】
【００２５】
１  （家具類の）固定具              ３  係止部
５  連結部                          ７  ベース板
９  （一方の）支柱                １１  （他方の）支柱
１３  軸受部                        １５  軸受部
１７  係止ピン                      １９  取付穴
２１  軸部                          ２３  貫通穴
２５  ネジ穴                        ２７  操作リング
２９  係止要素                      ３１  係止リング
３３  （一方の）ネジ軸              ３５  （他方の）ネジ軸
３７  支持ポール                    ３９  雄ネジ部
４１  雄ネジ部                      ４３  雌ネジ部
４５  雌ネジ部                      ４７  貫通穴部
４９  係止穴                        ５１  天板
５３  側板                          ５５  アンカーボルト
５７  ロックナット                  ５９  ロックナット
Ａ  壁                              Ｂ  床
Ｃ  家具類
【図１】
0003110749.tif 000003
【図２】
0003110749.tif 000004
【図３】
0003110749.tif 000005
【図４】
0003110749.tif 000006
【図５】
0003110749.tif 000007
【図６】
0003110749.tif 000008
【図７】
0003110749.tif 000009